(57)【要約】【課題】従来水洗トイレの洗浄水は殆ど水道水を使用しており，家庭では水道料金の要部を占め，また水資源不足の一因をなしていた。【解決手段】トイレ洗浄水タンクの水位が低下すると，浴槽内の残り水がポンプによって洗浄水タンクへ送られ，入浴後の残り水をトイレの洗浄水として再利用出来る。この場合浴槽内の水が無くなるとポンプは停止し，また浴槽内に水があっても，洗浄水タンクに水がある間は，ポンプの駆動電流は遮断されており電極の消耗を防止する。【選択図】  図１
2005344490.tif 000002
【特許請求の範囲】
【請求項１】
トイレ洗浄水タンクに第１の水位センサーを挿入し，浴槽内にポンプ及び電極式の第２の水位センサーを挿入し，前記トイレ洗浄水タンクは前記ポンプと管路で接続し，更に前記ポンプはポンプ制御装置を介して電源へ接続し，前記ポンプ制御装置は前記第１の水位センサー及び前記第２の水位センサーと接続すると共に，前記第２の水位センサーは前記トイレ洗浄水タンクの水位が前記第１の水位センサーの下限より低下した時にのみ通電するように構成したことを特徴とするトイレ用節水装置
【請求項２】
トイレ洗浄水タンクに第１の水位センサーを挿入し，浴槽内にポンプを挿入し，前記トイレ洗浄水タンクは前記ポンプと管路で接続し，更に前記ポンプは電流計，ポンプ制御装置を介して電源へ接続し，同ポンプ制御装置は前記第１の水位センサーと接続すると共に，前記電流計のポンプ駆動用電流が所定値以下の時は前記ポンプへの通電が遮断されるように構成したことを特徴とするトイレ用節水装置
【発明の詳細な説明】
【０００１】  本発明は，入浴後の浴槽の残り水を，水洗トイレの洗浄水として再利用するトイレ用節水装置に関する。
【背景技術】
【０００２】  従来水洗トイレの洗浄水は殆ど水道水を使用しており，家庭では水道料金の要部を占め，また水資源不足の一因をなしていた。
【発明の開示】
【発明が解決しようとする課題】
【０００３】  このような背景の中で，家庭でも水道水節減の為に入浴後の浴槽の残り水を水洗トイレの洗浄水として再利用することが考えられる。然し，浴槽の残り水をバケツ等を使ってトイレの洗浄水タンクへ移し替えることは極めて能率が悪く，重労働を強いるものである。その対策として発明者は，先に特願２００３−０７８３１５を出願したが，その実施にはある程度まとまった資金が必要であり，もっと低コストで簡易な節水装置の実現が求められている。
【課題を解決するための手段】
【０００４】  本発明の請求項１に係る発明は，トイレ洗浄水タンクに第１の水位センサーを挿入し，浴槽内にポンプ及び電極式の第２の水位センサーを挿入し，前記トイレ洗浄水タンクは前記ポンプと管路で接続し，更に前記ポンプはポンプ制御装置を介して電源へ接続し，前記ポンプ制御装置は前記第１の水位センサー及び前記第２の水位センサーと接続すると共に，前記第２の水位センサーは前記トイレ洗浄水タンクの水位が前記第１の水位センサーの下限より低下した時にのみ通電するように構成したトイレ用節水装置である。【０００５】  本発明の請求項２に係る発明は，トイレ洗浄水タンクに第１の水位センサーを挿入し，浴槽内にポンプを挿入し，前記トイレ洗浄水タンクは前記ポンプと管路で接続し，更に前記ポンプは電流計，ポンプ制御装置を介して電源へ接続し，同ポンプ制御装置は前記第１の水位センサーと接続すると共に，前記電流計のポンプ駆動用電流が所定値以下の時は前記ポンプへの通電が遮断されるように構成したトイレ用節水装置である。
【発明の効果】
【０００６】  本発明の請求項１に係る発明では，トイレ洗浄水タンクの水が使用されて水位が低下すると，浴槽内の残り水がポンプによって洗浄水タンクへ送られる。この場合浴槽内の水が無くなるとポンプの駆動電流が遮断されポンプの空転が防止され，また浴槽内に水があっても洗浄水タンクに水がある場合はポンプの駆動電流は遮断されており電極の消耗を防止出来る。このようにして，低コストで簡易な節水装置によって，人手をかけずに入浴後の残り水をトイレ洗浄水として再利用出来る。【０００７】  本発明の請求項２に係る発明では，トイレ洗浄水タンクの水が使用されて水位が低下すると，浴槽内の残り水がポンプによって洗浄水タンクへ送られる。この場合浴槽内の水が無くなるとポンプの駆動電流が低下して所定値以下になり，駆動電流が遮断されてポンプが停止する。また浴槽内に電極式水位センサーが無い為電極の汚損や消耗の心配が無い。このようにして，低コストで簡易な節水装置によって，人手をかけずに入浴後の残り水をトイレ洗浄水として再利用出来る。
【発明を実施するための最良の形態】
【実施例１】
【０００８】  図１は実施例１に係る装置の概念図，図２は作動の説明図である。図１において，１はトイレ２の洗浄水タンク，３はフロート式水位センサー（水位変化によってフロートが上下し，フロートが下方のストッパーに接すると通電するもの），４は浴槽，５は水中ポンプ，６はポンプ５に付設された電極式水位センサーであり，トイレ洗浄水タンク１はポンプ５と管路７で接続されている。前記ポンプ５は電線８でポンプ制御装置９と，更に電線１０で電源１１へ接続されている。ポンプ制御装置９は電線１２でフロート式水位センサー３と，また電線１３で電極式水位センサー５と接続されている。１４は水道栓である。【０００９】  次いで本実施例の作用を説明する。ポンプ制御装置９を電源１１に接続（スタート）すると，同装置９で整流され各々適当に変圧（減圧）された直流電流が，ポンプ５及びフロート式水位センサー３，電極式水位センサー６に印加される。そして，ポンプ制御装置９では図２のような制御が行われる。即ち，トイレ洗浄水タンク１が空の時は，フロート式水位センサー３が通電し，そのＹＥＳ信号で電極式水位センサー６へ電流が流れる。この時，浴槽４に水があれば，電極式水位センサー６の電極間が通電してＹＥＳ信号を発し，ポンプリレーをＯＮにしてポンプ５を駆動し，浴槽４からトイレ洗浄水タンク１へ風呂水を送る。トイレ洗浄水タンク１が満タンになると，フロート式水位センサー３が通電を停止してＮＯ信号を発し，電極式水位センサー６への送電を遮断するので，ポンプ５の運転は停止する。なお，電極式水位センサー６への送電があっても，浴槽４が空になると電極式水位センサー６の電極間が非通電（ＮＯ）となり，ポンプリレーをＯＦＦするのでポンプ５は作動しない。（この場合は手動又は図示省略の手段で水道栓１４を開きトイレ洗浄水タンク１へ給水する。）【００１０】  このようにして，低コストで簡易な節水装置によって，人手をかけずに入浴後の残り水をトイレ洗浄水として再利用出来る。この場合浴槽４内の水が無くなるとポンプ５の駆動電流が遮断されポンプ５の空転が防止される。また浴槽４内に水があってもトイレ洗浄水タンク１に水がある場合は，電極式水位センサー６への通電は遮断されているので電極の消耗を防止出来る。
【実施例２】
【００１１】  図３は実施例２に係る装置の概念図，図４は作動の説明図である。本実施例では浴槽４内の電極式水位センサー６，電線１３が省略され，代わりにポンプ制御装置９内に電流計１５が設けられ，ポンプ５と電線８で接続されている。その他は実施例１と同様で，同一符号は同一物を示すので説明を省略する。【００１２】  本実施例の作用も実施例１と同様であるが，浴槽４内の水の有無を，電流計１５で測定ポンプ５の作動電流で検知する。ポンプ５の作動電流は図４に示すように，水有のレベルＡから水無のレベルＢへ階段状に変化する。従って，その中間Ｃのレベル以上でポンプリレーがＯＮし，Ｃのレベル以下でＯＦＦするように設定しておけば，電極式水位センサー６が無くても実施例１と同様の作用を実現することが可能である。【００１３】  本実施例においては，電極式水位センサー６が無いので，電極の清掃や，消耗による交換が不要である。その他の効果については実施例１と同様なので説明を省略する。
【図面の簡単な説明】
【００１４】
【図１】実施例１に係る装置の概念図
【図２】実施例１に係る装置の作動の説明図
【図３】実施例２に係る装置の概念図
【図４】実施例２に係る装置の作動の説明図
【符号の説明】
【００１５】１・・・トイレの洗浄水タンク
２・・・トイレ
３・・・フロート式水位センサー
４・・・浴槽
５・・・ポンプ
６・・・電極式水位センサー
７・・・管路
８・・・電線
９・・・ポンプ制御装置
１０・・電線
１１・・電源
１２・・電線
１３・・電線
１４・・水道栓
１５・・電流計
Ａ・・・浴槽に水が有る時のポンプ作動電流
Ｂ・・・浴槽に水が無い時のポンプ作動電流
Ｃ・・・ポンプＯＮ，ＯＦＦの為に，ＡとＢの中間に設定したポンプ作動電流
【図１】
2005344490.tif 000003
【図２】
2005344490.tif 000004
【図３】
2005344490.tif 000005
【図４】
2005344490.tif 000006